(57)【要約】【課題】ガイドレールの遊技基盤への取り付けの容易化を図る。【解決手段】ステンレスのような金属からなる帯状の外ガイドレール３の一端部が、遊技基盤２の前側下部から案内溝４０に挿入されて上方に移動されるのに伴い、外ガイドレール３の一端部が、レール挿入溝１９をレール突当部２２からレール突当部２３の方向に移動してレール受止溝４５に取り込まれた後、外ガイドレール３の他端部が案内溝４０からレール突当部２２の上部の側に配置されることによって、外ガイドレール３がレール挿入溝１９に挿入されて上に凸になる弧状になり、外ガイドレール３の端部がレール突当部２２；２３で挟まれ、外ガイドレール３がレール挿入溝１９の外縁部に沿って帯状に設けられたレール支持体２０で外側から支持されるというように、外ガイドレール３がレール挿入溝１９に挿入されて遊技基盤２に取り付けられる。【選択図】図１
2007252606.tif 000002
【特許請求の範囲】
【請求項１】
遊技領域を囲むガイドレールが遊技基盤の前面に取り付けられたパチンコ機の遊技盤において、遊技基盤の前面にはレール挿入溝およびレール支持体が設けられ、レール挿入溝は遊技基盤を前側から見た場合に遊技領域の周縁部に沿う弧状であって遊技基盤の前面から内部に窪む形状に形成され、レール支持体はレール挿入溝よりも外側に位置して遊技基盤の前面から前側に突出する形状に形成され、ガイドレールの遊技基盤側の縁部がレール挿入溝に挿入され、ガイドレールの外側面がレール支持体に支持されたことによって、ガイドレールが遊技基盤の前面に取り付けられたことを特徴とするパチンコ機の遊技盤。
【請求項２】
遊技基盤の前面には飾り盤が設けられ、飾り盤の前面にはレール挿入溝およびレール支持体が設けられ、レール挿入溝は飾り盤を前側から見た場合に遊技領域の周縁部に沿う弧状であって飾り盤の前面から内部に窪む形状に形成され、レール支持体はレール挿入溝よりも外側に位置して飾り盤の前面から前側に突出する形状に形成され、ガイドレールの遊技基盤側の縁部がレール挿入溝に挿入され、ガイドレールの外側面がレール支持体に支持されたことによって、ガイドレールが飾り盤の前面に取り付けられ、飾り盤が遊技基盤の前面に取り付けられたことを特徴とするパチンコ機の遊技盤。
【請求項３】
請求項１または請求項２に記載したガイドレールが内ガイドレールと外ガイドレールとに分割され、内ガイドレールが遊技基盤の前面から前側に突出するように遊技基盤の前面に設けられ、外ガイドレールがレール挿入溝およびレール支持体で遊技基盤または飾り盤に取り付けられたことを特徴とするパチンコ機の遊技盤。
【発明の詳細な説明】
【技術分野】
【０００１】
本発明は、ガイドレールの遊技基盤への取り付けが容易になるパチンコ機の遊技盤に関する。
【背景技術】
【０００２】
パチンコ機の遊技盤は、遊技基盤に遊技部品を取り付けた構造である。遊技部品としては、ガイドレール、球戻防止弁、球反発体、入賞部品、アウト口、風車、遊技釘などである。遊技基盤の前面にガイドレールを取り付けるには、２つの構造が知られている。その１つは、ガイドレールが盤面飾りに装着され、盤面飾りが遊技基盤に設けられる構造である。この場合、盤面飾りが、遊技基盤の前面に接触して重ね合わされる土台と、土台の前面に接触して重ね合わされる飾りとしての化粧部材とに分割構成され、土台と化粧部材とが互いに組み合わせられる場合に、ガイドレールを土台と化粧部材との間に嵌め込まなければならないという欠点がある。もう１つは、ガイドレールを遊技基盤に割ピンや釘で取り付けなければならないという欠点がある。
【特許文献１】特開平７−３２８１９１号公報
【特許文献２】特開２００２−５８８１３号公報
【発明の開示】
【発明が解決しようとする課題】
【０００３】
発明が解決しようとする問題点は、遊技基盤にガイドレールを取り付ける構造が複雑であるという点である。
【課題を解決するための手段】
【０００４】
本発明に係るパチンコ機の遊技盤は、遊技領域を囲むガイドレールが遊技基盤の前面に取り付けられたパチンコ機の遊技盤において、遊技基盤の前面にはレール挿入溝およびレール支持体が設けられ、レール挿入溝は遊技基盤を前側から見た場合に遊技領域の周縁部に沿う弧状であって遊技基盤の前面から内部に窪む形状に形成され、レール支持体はレール挿入溝よりも外側に位置して遊技基盤の前面から前側に突出する形状に形成され、ガイドレールにおける遊技基盤の側に位置する後縁部がレール挿入溝に挿入され、ガイドレールの外面がレール支持体に支持されたことによって、ガイドレールが遊技基盤の前面に取り付けられるか、または、遊技基盤の前面には飾り盤が設けられ、飾り盤の前面にはレール挿入溝およびレール支持体が設けられ、レール挿入溝は飾り盤を前側から見た場合に遊技領域の周縁部に沿う弧状であって飾り盤の前面から内部に窪む形状に形成され、レール支持体はレール挿入溝よりも外側に位置して飾り盤の前面から前側に突出する形状に形成され、ガイドレールにおける遊技基盤の側に位置する後縁部がレール挿入溝に挿入され、ガイドレールの外面がレール支持体に支持されたことによって、ガイドレールが飾り盤の前面に取り付けられ、飾り盤が遊技基盤の前面に取り付けられたことを最も主要な特徴とする。ガイドレールが内ガイドレールと外ガイドレールとに分割され、内ガイドレールが遊技基盤または飾り盤の前面から前側に突出するように遊技基盤または飾り盤の前面に設けられ、外ガイドレールがレール挿入溝およびレール支持体で遊技基盤または飾り盤に取り付けられてもよい。
【発明の効果】
【０００５】
本発明に係るパチンコ機の遊技盤は、ガイドレールにおける遊技基盤の側に位置する後縁部がレール挿入溝に挿入され、ガイドレールの外面がレール支持体に支持されたことによって、ガイドレールが遊技基盤の前面または遊技基盤の前面に設けられる飾り盤の前面に取り付けられるので、ガイドレールの遊技基盤への取り付けが容易であるという利点がある。ガイドレールが内ガイドレールと外ガイドレールとに分割され、内ガイドレールが遊技基盤の前面から前側に突出するように遊技基盤の前面に設けられ、外ガイドレールがレール挿入溝およびレール支持体で遊技基盤または飾り盤に取り付けられれば、ガイドレールの遊技基盤への取り付けが一層容易であるという利点がある。
【発明を実施するための最良の形態】
【０００６】
図１乃至図４は、発明を実施するための最良の形態である。図１は、遊技盤１を分解して示す。図２は、遊技基盤２の正面を示す。図２では、レール掛止部２１、弁取付部２４、飾り取付孔２６、一般入賞逃避孔２７、一般入賞取付孔２８、始動入賞逃避孔２９、始動入賞取付孔３０、可変入賞逃避孔３１、可変入賞取付孔３２、風車取付孔３３、釘取付孔３４、ランプ逃避孔３５、ランプ取付孔３６の図示を省略した。図３は、外ガイドレール３を遊技基盤２に取り付けた断面を示す。図４は、遊技盤１と遊技機枠８１とを分解して示す。本明細書において、「前」、「表」、「後」、「裏」、「左」、「右」、「上」、「下」の方向は、図４の状態に遊技盤１および遊技機枠８１を置いて矢印Ａで示す前側から見た場合に特定される方向である。「前」および「表」は、同じ方向である。「後」および「裏」は、同じ方向である。
【０００７】
図１を参照し、パチンコ機の遊技盤の構造について説明する。遊技盤１は、遊技基盤２、外ガイドレール３、球戻防止弁４、球反発体５、一般入賞部品６、始動入賞部品７、可変入賞部品８、風車９、遊技釘１０、飾り部品１１、サイドランプ１２、樋１３など相互に独立した構成部品を備える。遊技基盤２は、板状体１５、遊技領域１６、球発射通路１７、内ガイドレール１８、レール挿入溝１９、レール支持体２０、レール掛止部２１、レール突当部２２；２３、弁取付部２４、反発取付部２５、飾り取付孔２６、一般入賞逃避孔２７、一般入賞取付孔２８、始動入賞逃避孔２９、始動入賞取付孔３０、可変入賞逃避孔３１、可変入賞取付孔３２、風車取付孔３３、釘取付孔３４、ランプ逃避孔３５、ランプ取付孔３６、アウト口３７、ロック孔３８を備える。板状体１５、内ガイドレール１８は、互いに、光透過する性質の有る無色な合成樹脂のような単一材料から一体に構成される。板状体１５は、遊技基盤２を前側から見た場合、方形である。遊技領域１６は、板状体１５の前面におけるレール挿入溝１９および内ガイドレール１８で囲まれた内側の部分である。球発射通路１７は、遊技領域１６の左側に接続され、板状体１５の前面におけるレール挿入溝１９の左側部および内ガイドレール１８の左側部との間の隙間により構成される。内ガイドレール１８は、遊技基盤２を前側から見た場合、下に凸になる弧状であって、板状体１５の前面から前側に突出する帯状に構成される。レール挿入溝１９は、遊技基盤２を前側から見た場合、上に凸になる弧状であって、遊技基盤２の前面から内部に窪む形状である。レール挿入溝１９の左下端部には、案内溝４０が形成される。案内溝４０は、左右方向の横幅が下方に行くにしたがって広くなり、レール挿入溝１９および遊技基盤２の下端面の双方に開口する。
【０００８】
レール支持体２０は、遊技基盤２を前側から見た場合、レール挿入溝１９の外縁部に沿い、上に凸になる弧状であって、遊技基盤２の前面から前側に突出する帯状に構成される。レール掛止部２１は、レール支持体２０の長手方向に分かれ、レール支持体２０に複数設けられる。レール掛止部２１は、弾性片４１と鉤部４２とを備える。弾性片４１は、レール支持体２０の前縁部から遊技基盤２の側に切り込まれたように形成された一対の分離溝４３の間に残された前後方向に長い短冊状であって、弾性片４１における遊技基盤２の側に位置する後部がレール支持体２０に接続された、片持ち梁の形状である。鉤部４２は、弾性片４１の前部から球発射通路１７の側に突出する。遊技基盤２には、残渣孔４４が形成される。残渣孔４４は、鉤部４２を形成するための成形型が遊技基盤２の前側から後側に引き抜かれた、加工跡である。レール突当部２２は、レール挿入溝１９の左下端部から案内溝４０に突出するように位置し、遊技基盤２の前面から前側に突出する突起として、遊技基盤２の前面に設けられる。レール突当部２３は、レール支持体２０の右端部および反発取付部２５に接続され、遊技基盤２の前面から前側に突出するように、遊技基盤２の前面に設けられる。レール突当部２３には、レール受止溝４５が設けられる。レール受止溝４５は、左側および前側が開口し、右側および後側が塞がれた、形態である。弁取付部２４は、内ガイドレール１８の左端部の近傍で、遊技領域１６に位置し、前後方向への貫通孔として遊技基盤に設けられる。
【０００９】
反発取付部２５は、内ガイドレール１８の右端部に接続され、遊技基盤２の前面から前側に突出する突起として構成される。反発取付部２５には、反発挿入溝４６が設けられる。反発挿入溝４６は、左側および前側が開口し、右側および後側が塞がれた、形態である。飾り取付孔２６、一般入賞逃避孔２７、一般入賞取付孔２８、始動入賞逃避孔２９、始動入賞取付孔３０、可変入賞逃避孔３１、可変入賞取付孔３２、風車取付孔３３、釘取付孔３４、ランプ逃避孔３５、ランプ取付孔３６、アウト口３７は、遊技領域１６に位置し、前後方向への貫通孔として遊技基盤２に設けられる。ロック孔３８は、レール支持体２０よりも外側で、板状体１５の右上隅部および右下隅部に位置し、前後方向への貫通孔として遊技基盤２に設けられる。
【００１０】
外ガイドレール３は、ステンレスのような金属からなる帯状である。球戻防止弁４は、取付台４８および板ばね４９を備える。取付台４８には、取付孔５０が前後方向への貫通孔として設けられる。板ばね４９の一端部が取付台４８に固定されたことによって、板ばね４９が片持ち梁のように取付台４８に取り付けられる。球反発体５は、合成樹脂またはゴムなどの弾性材から塊として構成される。一般入賞部品６は、取付基盤５１と球取入部５２および球排出部５３を備える。取付基盤５１には、取付孔５４が前後方向への貫通孔として設けられる。球取入部５２は、上方から取り込んだ球を球排出部５３に誘導する形状であって、取付基盤５１の前面から前側に突出するように、取付基盤５１に設けられる。球排出部５３は、球取入部５２から誘導された球を取付基盤５１の裏側に排出する形状であって、取付基盤５１の裏面から裏側に突出するように、取付基盤５１に設けられる。球取入部５２および球排出部５３は、取付基盤５１に形成された前後方向の貫通孔で、相互に繋がる。
【００１１】
始動入賞部品７は、取付基盤５５と球取入部５６および球排出部５７を備える。取付基盤５１には、取付孔５８が前後方向への貫通孔として設けられる。球取入部５６は、上方から取り込んだ球を球排出部５７に誘導する形状であって、取付基盤５５の前面から前側に突出するように、取付基盤５５に設けられる。球排出部５７は、球取入部５６から誘導された球を取付基盤５５の裏側に排出する形状であって、取付基盤５５の裏面から裏側に突出するように、取付基盤５５に設けられる。球取入部５６および球排出部５７は、取付基盤５５に形成された前後方向の貫通孔で、相互に繋がる。可変入賞部品８は、取付基盤５９と球取入部６０および球排出部６１を備える。取付基盤５９には、取付孔６２が前後方向への貫通孔として設けられる。球取入部６０は、取付基盤５９に形成された球取入口と、当該球取入口を開閉するように下部を中心として前後方向に回転可能に取付基盤５９に取り付けられた開閉体と、開閉体を駆動するように取付基盤５９の裏面に設けられた電磁ソレノイドのような駆動源を有する駆動機構とを備え、開閉体が部を中心として前側に開放されることによって上方から球を球取入口に取り込む。球排出部６１は、球取入部６０から取り込まれた球を取付基盤５９の裏側に排出する形状であって、取付基盤５９の裏面から裏側に突出するように、取付基盤５９に設けられる。風車９は、回転体６３が釘のような支持体６４に回転可能に装着された構造である。
【００１２】
飾り部品１１は、取付基盤６５と開口部６６および取付孔６７を備える。開口部６６は、取付基盤６５の中央部に、前後方向への貫通孔として設けられる。取付孔６７は、取付基盤６５の周縁部に、前後方向への貫通孔として設けられる。サイドランプ１２は、取付基盤６８およびランプカバー部６９を備える。取付基盤６８には、取付孔７０が前後方向への貫通孔として設けられる。ランプカバー部６９は、取付基盤６８の前面から前側に突出し、取付基盤６８の裏面に開口した形態である。ランプカバー部６９には、図外の表示灯の実装された表示灯基盤が、ランプカバー部６９の裏側から取り付けられる。
【００１３】
外ガイドレール３、球戻防止弁４、球反発体５、一般入賞部品６、始動入賞部品７、可変入賞部品８、風車９、遊技釘１０、飾り部品１１、サイドランプ１２、樋１３が、遊技基盤２に、次のように取り付けられる。図２において、外ガイドレール３の一端部が、遊技基盤２の前側下部から案内溝４０に挿入される。その後、外ガイドレール３の一端部が矢印Ｘ１で示すように案内溝４０からレール挿入溝１９に挿入されるように、外ガイドレール３が矢印Ｘ１で示す方向に移動される。これに伴い、外ガイドレール３の一端部が、レール挿入溝１９をレール突当部２２からレール突当部２３の方向に移動してレール受止溝４５に取り込まれる。その後、外ガイドレール３の他端部が案内溝４０からレール突当部２２の上部の側に配置される。これによって、外ガイドレール３がレール挿入溝１９に挿入されて上に凸になる弧状になり、外ガイドレール３の端部がレール突当部２２；２３で挟まれる。レール支持体２０がレール挿入溝１９の外縁部に沿った帯状に設けられているので、外ガイドレール３が矢印Ｘ１で示すように案内溝４０からレール挿入溝１９に挿入される場合、外ガイドレール３がレール支持体２０で誘導されつつ弧状になりレール挿入溝１９から外れることはないという利点がある。外ガイドレール３の端部がレール突当部２２；２３で挟まれるように、外ガイドレール３が遊技基盤２に取り付けられた場合、外ガイドレール３の外面がレール支持体２０の内面に接触し、外ガイドレール３がレール支持体２０で外側から支持されるという利点がある。また、ガイドレールが外ガイドレール３と内ガイドレール１８とに分割され、外ガイドレール３がレール挿入溝１９およびレール支持体２０で遊技基盤２に取り付けられ、内ガイドレール１８が遊技基盤２の前面から前側に突出するように遊技基盤２の前面に設けられているので、ガイドレールの遊技基盤２への取り付けが一層容易である。図３に示すように、外ガイドレール３の前後縁部がレール挿入溝１９と鉤部４２とで挟まれる。つまり、外ガイドレール３が、レール挿入溝１９とレール掛止部２１およびレール突当部２２；２３で遊技基盤２から脱落しないように、遊技基盤２に取り付けられる。
【００１４】
図１に戻り、球戻防止弁４の取付台４８が遊技基盤２の前側から遊技領域１６に重ね合わされ、釘７１が取付孔５０から弁取付部２４に打ち込まれ、板ばね４９が球発射通路１７から遊技領域１６の側に傾斜し、板ばね４９の先端部が外ガイドレール３の内面に接触するかまたは接触する程度に近づき、球戻防止弁４が遊技基盤２に取り付けられる。球反発体５は、遊技基盤２の前側から反発挿入溝４６に押し込まれ、反発取付部２５に圧縮された格好で取り付けられる。一般入賞部品６の球排出部５３が遊技基盤２の前側から一般入賞逃避孔２７に挿入され、取付基盤５１が遊技領域１６に重ね合わされて一般入賞逃避孔２７を覆い隠し、止ねじ７２が取付基盤５１の前側から取付孔５４を経由して一般入賞取付孔２８に締結され、一般入賞部品６が遊技基盤２に取り付けられる。始動入賞部品７の球排出部５７が遊技基盤２の前側から始動入賞逃避孔２９に挿入され、取付基盤５５が遊技領域１６に重ね合わされて始動入賞逃避孔２９を覆い隠し、止ねじ７３が取付基盤５５の前側から取付孔５８を経由して始動入賞取付孔３０に締結され、始動入賞部品７が遊技基盤２に取り付けられる。可変入賞部品８の球排出部６１が遊技基盤２の前側から可変入賞逃避孔３１に挿入され、取付基盤５９が遊技領域１６に重ね合わされて可変入賞逃避孔３１を覆い隠し、止ねじ７４が取付基盤５９の前側から取付孔６２を経由して可変入賞取付孔３２に締結され、可変入賞部品８が遊技基盤２に取り付けられる。
【００１５】
風車９の支持体６４が遊技基盤２の前側から風車取付孔３３に打ち込まれ、風車９が遊技基盤２に取り付けられる。遊技釘１０が遊技基盤２の前側から釘取付孔３４に打ち込まれ、遊技釘１０が遊技基盤２に取り付けられる。飾り部品１１の取付基盤６５が遊技基盤２の前側から遊技領域１６に重ね合わされ、止ねじ７４が取付基盤６５の前側から飾り取付孔２６に締結され、飾り部品１１が遊技基盤２に取り付けられる。サイドランプ１２の裏側に突出した表示灯基盤からの配線が遊技基盤２の前側からランプ逃避孔３５を経由して遊技基盤２の裏側に引き出され、取付基盤６８が遊技領域１６に重ね合わされてランプ逃避孔３５を覆い隠し、止ねじ７５が取付基盤６８の前側から取付孔７０を経由してランプ取付孔３６に締結され、サイドランプ１２が遊技基盤２に取り付けられる。樋１３は、一般入賞部品６または始動入賞部品７または可変入賞部品８から遊技基盤２の裏側に排出された球を下方に誘導して排出するものであって、遊技基盤２の裏側から遊技基盤２の裏面に図外の止ねじで取り付けられる。
【００１６】
図４を参照し、パチンコ遊技機の遊技機枠８１の構造について説明する。遊技機枠８１は、固定枠８２の前側に可動枠８３を開閉可能に備え、可動枠８３の前側に前扉８４および皿構造体８５を開閉可能に備える。固定枠８２は、遊技機設置構造体に取り付けるための外枠とも呼ばれる。遊技機設置構造体は、遊技店のパチンコ遊技機を取り付けるための島とも呼ばれる設備である。可動枠８３は、遊技盤１や図外の球払出機構および図外の制御装置など遊技に必要な部品を取り付ける前枠とも呼ばれる。可動枠８３は、左側に位置するヒンジ８６を中心とし、固定枠８２の前側で前側に開かれかつ後側に閉じられるように、片開き可能であって、盤収容部８７、中央開口部８８、盤後側押出部８９、盤前側受止部９０、盤掛止部材９１、盤棚９２、球発射機構９３、球発射レール９４、戻り球取入口９５、前横樋９６、機外排出樋９７、施錠装置９８、ロック機構９９；１００；１０１および解除操作体１０２が設けられる。盤収容部８７は、遊技盤１を可動枠８３の前側から格納させるように、前側に開口した方形な箱形である。中央開口部８８は、盤収容部８７の背壁に、前後方向への貫通孔として形成される。
【００１７】
盤後側押出部８９は、遊技盤１を前側に押す板ばねのような弾性体である。盤前側受止部９０は、盤後側押出部８９で前側に押された遊技盤１を受け止める突起である。盤後側押出部８９が後側で盤前側受止部９０が前側となるように、盤後側押出部８９および盤前側受止部９０が盤収容部８７の左側部に設けられる。盤掛止部材９１は、盤収容部８７の背壁から前側に突出し、盤収容部８７の背壁と平行な方向に回転可能に、盤収容部８７の右側部に設けられる。盤棚９２は、遊技盤１を搭載する左右方向に平坦な面として、盤収容部８７の下縁部により形成される。球発射機構９３、球発射レール９４、戻り球取入口９５、前横樋９６は、盤棚９２から下側に延設された前壁の前面に設けられる。戻り球取入口９５は、球発射機構９３から球発射レール９４を経由して遊技盤１の球発射通路１７の側に移動する発射球の経路を邪魔しないように球発射レール９４よりも右側に離れて設けられる。機外排出樋９７は、盤棚９２から下側に延設された前壁の裏面に設けられる。施錠装置９８、ロック機構９９；１００；１０１、解除操作体１０２は、可動枠８３の右側部に設けられる。可動枠８３の裏面には、タンク構造体１０３が設けられる。タンク構造体１０３は、遊技機設置構造体の補給機構から供給された球を貯蔵し、貯蔵した球を可動枠８３の裏面に設けられた図外の球払出機構に供給する。
【００１８】
前扉８４および皿構造体８５は、個別に、左側に位置するヒンジ１０４を中心とし、可動枠８３の前側で前側に開かれかつ後側に閉じられるように、片開き可能である。前扉８４は、パネル枠とも呼ばれ、前後方向に貫通する窓１０５を備える。窓１０５は、前面パネル１０６で塞がれる。前面パネル１０６は、ガラスまたは合成樹脂からなる光を透過する性質の有る無色な板状であって、前扉８４の裏面に設けられる。皿構造体８５は、球受皿部１０７および球発射操作機構１０８を、皿構造体８５の前面から前側に突出した形態に備える。球受皿部１０７は、遊技に使用する球を受ける上側に開口した上側から下側に窪む容器である。球発射操作機構１０８は、遊技者が球を発射するために操作するものである。皿構造体８５の裏面には、球取入口１０９および球供給口１１０が設けられる。皿構造体８５が閉じられた場合、解除操作体１０２、球発射機構９３、球発射レール９４、戻り球取入口９５、前横樋９６は、皿構造体８５で覆い隠される。
【００１９】
可動枠８３が閉じられて固定枠８２にロック機構９９で開閉不能に支持され、前扉８４および皿構造体８５が閉じられて可動枠８３にロック機構１００；１０１で開閉不能に支持された状態において、遊技店の店員が図外のキープレート（鍵）を遊技機枠８１の前側から施錠装置９８の鍵穴に挿入し、当該キープレートを例えば右側に９０度回転操作すると、固定枠８２と可動枠８３とのロック機構９９による支持形態が解除される。この支持形態の解除後に、店員が可動枠８３を前側に引くことによって、可動枠８３はヒンジ８６を中心として前側に片開きされる。また、上記施錠装置９８の鍵穴に挿入されたキープレートが例えば左側に９０度回転操作されると、可動枠８３と前扉８４とのロック機構１００による支持形態が解除される。この支持形態の解除後に、店員が前扉８４を前側に引くことによって、前扉８４はヒンジ１０４を中心として前側に片開きされる。このように、前扉８４が前側に開かれた状態において、店員が解除操作体１０２を操作すると、可動枠８３と皿構造体８５とのロック機構１０１による支持形態が解除される。この支持形態の解除後に、店員が皿構造体８５を前側に引くことによって、皿構造体８５はヒンジ１０４を中心として前側に片開きされる。
【００２０】
遊技盤１を遊技機枠８１に装着する仕方について説明する。可動枠８３が閉じられて固定枠８２にロック機構９９で開閉不能に支持され、少なくとも、前扉８４が可動枠８３の前側に片開きされた状態において、樋１３が遊技機枠８１の方に向けられ、遊技領域１６が前側に向けられ、遊技盤１の左側部が遊技機枠８１の前側から盤収容部８７に挿入され、遊技盤１の下部が盤棚９２の上に載せられ、遊技盤１の左側部が盤後側押出部８９と盤前側受止部９０との間に挿入されて盤後側押出部８９と盤前側受止部９０とで前後方向から挟まれる。その後、遊技盤１の右側部が作業者によって後側に押され、盤掛止部材９１がロック孔３８に後側から挿入されて前側に突出した状態において、作業者が盤掛止部材９１を例えば右方向に９０度回転操作すると、盤掛止部材９１がロック孔３８の周りにおける遊技基盤２の前面に係合し、遊技盤１が可動枠８３に取り付けられる。
【００２１】
遊技盤１が可動枠８３に取り付けられ、前扉８４および皿構造体８５が閉じられて可動枠８３にロック機構１００；１０１で開閉不能に支持され、遊技者が球受皿部１０７にパチンコ球と呼ばれる球を入れて球発射操作機構１０８を操作すると、球発射機構９３が球発射操作機構１０８から出力された操作量に応じた発射力で例えば１分間に１から１００発未満までの所定数の間隔で駆動し、球発射機構９３が球受皿部１０７から球供給口１１０を経由して球発射レール９４に供給された球を発射球として１個ずつ遊技盤１の球発射通路１７に向けて発射する。この球発射通路１７に発射された球が、球発射通路１７の球出口から球戻防止弁４を押し開けて遊技領域１６に到達する。遊技領域１６の到達した球は、遊技部品に衝突して流れる方向を変えながら、遊技領域１６を流下する過程において、一般入賞部品６または始動入賞部品７に入賞する。球が一般入賞部品６に入賞すると、一般入賞部品６に入賞に対する賞球としての球が、図外の球払出機構から球受皿部１０７に払い出される。球が始動入賞部品７に入賞すると、始動入賞部品７に入賞した球を検出した図外の球検出器が図柄始動信号を図外の制御装置に出力する。すると、制御装置が当り外れ抽選処理を行い、抽選処理の結果を遊技者に知らせるべく図外の画像表示器を制御する。これによって、画像表示器が、図柄の変動表示を開始した後、当り外れ抽選の結果を表現する図柄を停止表示し、遊技としての当りまたは外れの確定したことが遊技者に通知される。
【００２２】
画像表示器が当り外れ抽選の結果のうちの当たりを表現する図柄を停止表示させた場合、制御装置が可変入賞部品８の開閉体を開閉するように開閉体の駆動源を制御する。開閉体の開放中に、球が遊技領域１６から可変入賞部品８に入賞すると、図外の球払出機構から球受皿部１０７に払い出される。一般入賞部品６、始動入賞部品７、可変入賞部品８に入賞しないで遊技領域１６の最下部に流れた球は、アウト口３７に取り込まれる。遊技領域１６から一般入賞部品６または始動入賞部品７または可変入賞部品８またはアウト口３７に取り込まれた球は、遊技盤１の裏側に排出される。遊技盤１の裏側に排出された球は、樋１３に取り込まれ、樋１３から下方に排出される。画像表示器は可動枠８３に取り付けられ、画像表示器の表示画面に表示された画像が中央開口部８８を経由し遊技盤１の樋１３よりも上部に表示される。画像表示器の表示画面における飾り部品１１の開口部６６と対応する部分には、上記図柄が表示される。よって、図柄が始動入賞部品７への球の入賞に伴い飾り部品１１の開口部６６に表示され、飾り部品１１の周囲には演出のための画像が表示されるという利点がある。
【産業上の利用可能性】
【００２３】
図５および図６は、異なる第１の形態である。図５は、外ガイドレール３と遊技基盤２および固定具１１２を分解して示す。図６は、外ガイドレール３を遊技基盤２に取り付けた断面を示す。図５において、レール支持体２０には、図１のレール掛止部２１に代わる凹部１１１が、レール支持体２０の前面から内部に窪む溝として設けられる。固定具１１２は、図１のレール掛止部２１に代わり、外ガイドレール３をレール支持体２０に止めるものであって、前片１１３、内片１１４、外片１１５、鉤片１１６を備える。前片１１３は、レール支持体２０の内外方向の板厚Ｔ１よりも長い長さＴ２と、凹部１１１の横幅Ｈ１よりも狭い幅Ｈ２とを有する方形である（Ｔ１＜Ｔ２、Ｈ１＞Ｈ２）。内片１１４は、前片１１３の内側端から裏側に突出する。換言すると、内片１１４は、前片１１３の内側端から裏側に直角に突出した形態である。外片１１５は、前片１１３の内側端から裏側に突出する。換言すると、外片１１５は、前片１１３の外側端から裏側に鋭角に突出した形態である。つまり、前片１１３におけるレール支持体２０の側に位置する裏面と外片１１５におけるレール支持体２０の側に位置する内面との成す角度が鋭角になっており、外片１１５が前片１１３から裏側に行くにしたがって徐々に内片１１４の側に寄る形状である。外片１１５の前片１１３から裏側に突出する寸法は、内片１１４の突出する前片１１３から裏側に突出する寸法よりも長い。鉤片１１６は、外片１１５の裏側に位置する端部から内片１１４の側に寄るように斜め下方に突出する。鉤片１１６の裏側に位置する端部と内片１１４との間の隙間Ｔ３は、レール支持体２０の板厚Ｔ１よりも小さい（Ｔ１＞Ｔ３）。
【００２４】
図５において、外ガイドレール３を遊技基盤２に取り付けるには、外ガイドレール３の外面がレール支持体２０の内面に接触され、外ガイドレール３がレール支持体２０に沿って球発射通路１７の側に移動され、外ガイドレール３における遊技基盤２の側に位置する後縁部がレール挿入溝１９に挿入され、外ガイドレール３の前縁部が凹部１１１よりも球発射通路１７の側に配置される。この場合、レール支持体２０に図１に示すレール掛止部２１が無いので、外ガイドレール３をレール挿入溝１９に挿入する作業が、容易に行えるという利点がある。その後、内片１１４および鉤片１１６がレール支持体２０の側に向けられ、鉤片１１６の裏側に位置する端部と内片１１４との間の隙間Ｔ３にレール支持体２０を取り込むように、固定具１１２が凹部１１１に対応しレール支持体２０に装着される。これに伴い、図６に示すように、内片１１４における外片１１５の側に位置する内面が外ガイドレール３における球発射通路１７の側に位置する内面に接触し、外片１１５が隙間Ｔ３を広げるように外側に撓み、鉤片１１６の裏側に位置する端部がレール支持体２０における球発射通路１７の反対側の外側に位置する外面に接触し、前片１１３が凹部１１１に取り込まれる。これによって、固定具１１２が外ガイドレール３をレール支持体２０に固定する。そして、球が外ガイドレール３の内面と球発射通路１７における遊技基盤２の前面とに接触しつつ球発射通路１７を下方から上方に向けて通過する場合、内片１１４が球と接触しないように、内片１１４の凹部１１１から球発射通路１７の側への突出する寸法は設定されている。
【００２５】
図７は、異なる第２の形態に係る遊技基盤２の正面を示す。図７に示すように、外ガイドレール３およびレール挿入溝１９の長さが短い点で最良の形態と異なる。つまり、外ガイドレール３およびレール挿入溝１９が、図４に示す球発射機構９３から球発射通路１７に向けて発射された球Ｐが矢印Ｘ２で示すように到達する範囲にだけ設けられた形態である。よって、球発射機構９３から発射された球Ｐは、球発射通路１７において、外ガイドレール３に接触した後、外ガイドレール３からレール支持体２０に移動し、レール支持体２０で遊技領域１６へと誘導される。図７では、弁取付部２４、飾り取付孔２６、一般入賞逃避孔２７、一般入賞取付孔２８、始動入賞逃避孔２９、始動入賞取付孔３０、可変入賞逃避孔３１、可変入賞取付孔３２、風車取付孔３３、釘取付孔３４、ランプ逃避孔３５、ランプ取付孔３６の図示を省略した。異なる第２の形態の場合、レール突当部２３が球発射通路１７におけるレール支持体２０の内面に設けられ、該レール突当部２３にレール受止溝４５を設ける必要がなく、反発取付部２５がレール支持体２０の右端部に接続される。
【００２６】
図８は、異なる第３の形態に係る遊技基盤２と飾り盤１１７とを分解して示す。遊技基盤２は、ベニヤ板のような合板または光を遮断する性質の有る合成樹脂からなる方形な板状に形成される。遊技基盤２は、図１の板状体１５に類似する。遊技基盤２には、弁取付部２４、飾り取付孔２６、一般入賞逃避孔２７、一般入賞取付孔２８、始動入賞逃避孔２９、始動入賞取付孔３０、可変入賞逃避孔３１、可変入賞取付孔３２、風車取付孔３３、釘取付孔３４、ランプ逃避孔３５、ランプ取付孔３６、アウト口３７、ロック孔１１８、飾り逃避孔１１９が設けられる。ロック孔１１８は、図１のロック孔３８に相当し、前後方向への貫通孔として遊技基盤２に設けられる。飾り逃避孔１１９は、図１の飾り部品１１の開口部６６に対応し、前後方向への貫通孔として遊技基盤２に設けられる。遊技基盤２の前面は、図外の図柄や絵柄などの描かれた化粧盤面として構成される。
【００２７】
飾り盤１１７は、遊技基盤２の前面に取り付けられる合成樹脂からなる部材である。飾り盤１１７には、方形な樹脂基盤１２０を備える。樹脂基盤１２０には、球発射通路１７、内ガイドレール１８、レール挿入溝１９、レール支持体２０、レール掛止部２１、レール突当部２２、レール突当部２３、反発取付部２５、ロック孔１２１、遊技開口部１２２を備える。ロック孔１２１は、図１のロック孔３８に相当し、前後方向への貫通孔として樹脂基盤１２０に設けられる。遊技開口部１２２は、レール挿入溝１９および球発射通路１７を残し、内ガイドレール１８の内側に沿う前後方向への貫通孔として樹脂基盤１２０に設けられる。遊技基盤２の前面と樹脂基盤１２０の裏面とが互いに重ね合わされ、ロック孔１１８の位置とロック孔１２１の位置とが互い合わされ、遊技基盤２と樹脂基盤１２０とが互いに結合されることによって、遊技基盤２の前面の中央部が遊技開口部１２２に露出し遊技領域１６として構成される。ガイドレールが外ガイドレール３と内ガイドレール１８とに分割され、外ガイドレール３がレール挿入溝１９およびレール支持体２０で飾り盤１１７に取り付けられ、内ガイドレール１８が樹脂基盤１２０の前面から前側に突出するように樹脂基盤１２０の前面に設けられているので、ガイドレールの遊技基盤２への取り付けが一層容易である。
【００２８】
図９は、異なる第４の形態に係る外ガイドレール３を遊技基盤２に取り付けた断面を示す。図８において、レール支持体２０における遊技基盤２の前面から前側に突出する量Ｈ３は、外ガイドレール３の外面を支持できる範囲において、外ガイドレール３における遊技基盤２の前面から前側に突出する量Ｈ４よりも小さい。この場合、レール掛止部２１はレール支持体２０よりも前側に突出することは勿論である。
【００２９】
図１０は、異なる第５の形態に係る外ガイドレール３を固定具１１２でレール支持体２０に支持して遊技基盤２に取り付けた断面を示す。図１０において、レール支持体２０の外面に被鉤部１２３を設け、固定具１１２が外ガイドレール３をレール支持体２０に支持する場合、鉤片１１６が被鉤部１２３を前側から遊技基盤２の側に越えるように被鉤部１２３の裏側にまわりこむことによって、鉤片１１６が被鉤部１２３に係留される。
【００３０】
図示は省略するが、レール突当部２２と外ガイドレール３との間にゴムのような弾性体を挟み込んでもよい。レール受止溝４５と外ガイドレール３との間にゴムのような弾性体を挟み込んでもよい。内ガイドレール１８を、図１の板状体１５または図８の樹脂基盤１２０と別に形成し、図１の板状体１５または図８の樹脂基盤１２０に取り付けてもよい。
【図面の簡単な説明】
【００３１】
【図１】遊技盤の分解斜視図（最良の形態）。
【図２】遊技基盤の正面図（最良の形態）。
【図３】図２のＢ−Ｂ線断面図（最良の形態）。
【図４】遊技盤と遊技機枠との分解斜視図（最良の形態）。
【図５】外ガイドレール、遊技基盤、固定具の分解斜視図（異なる第１の形態）。
【図６】図５のＣ−Ｃ線断面図（異なる第１の形態）。
【図７】遊技基盤の正面図（異なる第２の形態）。
【図８】遊技基盤、飾り盤の分解斜視図（異なる第３の形態）。
【図９】図２のＤ−Ｄ線断面図に類似する断面図（異なる第４の形態）。
【図１０】図５のＣ−Ｃ線断面図に類似する断面図（異なる第５の形態）。
【符号の説明】
【００３２】
１      遊技盤
２      遊技基盤
３      外ガイドレール
１６    遊技領域
１８    内ガイドレール
１９    レール挿入溝
２０    レール支持体
１１７  飾り盤
【図１】
2007252606.tif 000003
【図２】
2007252606.tif 000004
【図３】
2007252606.tif 000005
【図４】
2007252606.tif 000006
【図５】
2007252606.tif 000007
【図６】
2007252606.tif 000008
【図７】
2007252606.tif 000009
【図８】
2007252606.tif 000010
【図９】
2007252606.tif 000011
【図１０】
2007252606.tif 000012